(57)【要約】      （修正有）【課題】魚の重量を測定し、測定した重量データを簡単に記録可能にする魚重量計を提供する。【解決手段】魚重量計１は、手で持つための把持部２と、把持部２の一端側に固定されており、魚を保持するための保持部３とを備える。把持部２に、保持部３によって保持された魚の重量を測定する重量測定部２４と、重量測定部２４によって測定された重量データを、無線で送信するための無線通信ユニット２６とが内蔵されている。【選択図】図１
0003203007.tif 000002
【実用新案登録請求の範囲】
【請求項１】
魚を保持し、保持した魚の重量を測定する魚重量計であって、
魚重量計自体を手で持つための把持部と、
前記把持部の一端側に固定されており、魚を保持するための保持部とを備え、
前記把持部に、
前記保持部によって保持された魚の重量を測定する重量測定部と、
前記重量測定部によって測定された重量データを、無線で送信するための無線通信ユニットとが内蔵されている
ことを特徴とする魚重量計。
【請求項２】
請求項１記載の魚重量計において、
前記保持部の表面に、該保持部で保持された魚の寸法を計測するための基準寸法となるマーカーが付されており、
前記保持部によって魚を保持した状態で、当該魚と一緒に前記マーカーが映った画像を撮影可能にした
ことを特徴とする魚重量計。
【請求項３】
請求項１または２記載の魚重量計において、
前記把持部の他端側の表面に設けられており、前記重量測定部によって測定された重量データを表示するための表示部を備えた
ことを特徴とする魚重量計。
【考案の詳細な説明】
【技術分野】
【０００１】
本考案は、魚を保持して、その重量を測定する魚重量計に関するものである。
【背景技術】
【０００２】
特許文献１では、釣り上げた魚の口を挟持する挟持部と、該挟持した魚の体重測定を握り部に内装された量り手段によって行い、該測定された魚の体重を表示する重量表示部が備えられた魚掴み器が開示されている。
【先行技術文献】
【特許文献】
【０００３】
【特許文献１】特開２０１１−０１９４３３号公報
【特許文献２】国際公開第２０１３／０９９２７１号
【考案の概要】
【考案が解決しようとする課題】
【０００４】
釣りの世界では、釣り上げた魚を例えばスマートフォンによって撮影することがよく行われている。ここで、撮影した画像に、魚の重量のデータを併せて記録できれば、ユーザにとって喜ばしい。ところが、特許文献１のような魚掴み器を用いて魚の重量を測定する場合には、測定した重量データを別途、スマートフォン等に入力する必要があるため、ユーザにとって煩わしい。
【０００５】
本考案は、かかる点に鑑みてなされたものであり、その目的は、魚の重量を測定し、測定した重量データを簡単に記録可能にすることにある。
【課題を解決するための手段】
【０００６】
本考案の一態様では、魚を保持し、保持した魚の重量を測定する魚重量計は、魚重量計自体を手で持つための把持部と、前記把持部の一端側に固定されており、魚を保持するための保持部とを備え、前記把持部に、前記保持部によって保持された魚の重量を測定する重量測定部と、前記重量測定部によって測定された重量データを、無線で送信するための無線通信ユニットとが内蔵されている。
【０００７】
この態様によると、把持部に、保持部によって保持された魚の重量を測定する重量測定部と、重量測定部によって測定された重量データを無線で送信するための無線通信ユニットとが内蔵されている。このため、重量データを、魚重量計から、例えばスマートフォン等の電子機器に容易に送ることができる。これにより、ユーザは例えば、魚を撮影したとき、魚の画像と併せて魚の重量を記録することが、容易に行える。
【０００８】
また、前記態様の魚重量計において、前記保持部の表面に、該保持部で保持された魚の寸法を計測するための基準寸法となるマーカーが付されており、前記保持部によって魚を保持した状態で、当該魚と一緒に前記マーカーが映った画像を撮影可能にしたのが好ましい。
【０００９】
これにより、魚と一緒にマーカーが映った画像から、例えば特許文献２に開示された方法によって、魚の寸法を計測することができる。これにより、きわめて簡易な方法によって、魚の画像に、魚の重量と寸法を併せて表示させることができる。
【００１０】
また、前記態様の魚重量計において、前記把持部の他端側の表面に設けられており、前記重量測定部によって測定された重量データを表示するための表示部を備えるのが好ましい。
【００１１】
これにより、測定された重量データを、表示部における表示によって確認することができ、また、表示部が、把持部における、保持部と反対側の他端側の表面に設けられているので、魚を保持した状態で、容易に重量データを確認することができる。
【考案の効果】
【００１２】
本考案によれば、重量データを、魚重量計から、例えばスマートフォン等の電子機器に容易に送ることができるので、ユーザは魚の重量を容易に記録することができる。
【図面の簡単な説明】
【００１３】
【図１】魚重量計の外観図
【図２】魚重量計の把持部の外観図
【図３】魚重量計の把持部の内部構造図
【図４】魚重量計の機能構成を示すブロック図
【図５Ａ】魚重量計の使用形態の例を示す図
【図５Ｂ】スマートフォンの画面の一例
【図５Ｃ】スマートフォンの画面の一例
【図６】スマートフォンのアプリの動作例
【考案を実施するための形態】
【００１４】
以下、本考案の実施形態を、図面に基づいて詳細に説明する。
【００１５】
図１は実施形態に係る魚重量計１の一例の外観図、図２は魚重量計１の把持部２の外観図である。図１および図２に示す魚重量計１は、ユーザが魚重量計１自体を手で持つための把持部２と、魚を保持するための保持部３とを備えている。保持部３は、把持部２の一端側に固定されている。保持部３において、鈎部３ａは、ユーザが引き部３ｂを引くことによって開くように構成されている。鈎部３ａに魚の口を引っかけて、ユーザが把持部２を持って魚をぶら下げることによって、魚を吊して保持することができる。
【００１６】
把持部２には、保持部３によって保持された魚の重量を測定する重量測定部２４と、重量測定部２４によって測定された重量データを、無線で送信するための無線通信ユニット２６とが内蔵されている。無線通信ユニット２６は、例えば、Bluetooth（登録商標）を利用する。また、把持部２の他端側の表面に、重量測定部２４によって測定された重量データを表示するための表示部２１と、魚重量計１の重量計測の操作を行うための操作部２２とが設けられている。また、魚重量計１は電池を内蔵するように構成されており、把持部２の他端側の表面に、電池蓋２３が設けられている。
【００１７】
そして、保持部３の表面に、寸法計測用のマーカー４が付されている。すなわち、魚重量計１は、魚を保持した状態で、魚と一緒にマーカー４が映った画像を撮影可能なように構成されている。なお、図１では、マーカー４は正三角形であり、保持部３の表面の地の色に対してコントラストのある色、例えば黒色の地に対して白色であるものとする。ただし、マーカー４の形状および色は、これに限定されるものではない。
【００１８】
図３は把持部２の内部構成を示す縦断面図、図４は魚重量計１の機能構成を示すブロック図である。図３に示すように、把持部２には、重量測定部２４が内蔵されている。重量測定部２４は、保持部３と連結棒２８によって連結されており、保持部３に係る荷重を電気信号に変換する機能を有している。把持部２に保持部３を固定する部分には、防水パッキン２９が設けられている。また、把持部２には制御基板５が内蔵されている。制御基板５には、制御部２５と、無線通信ユニット２６とが搭載されている。また、把持部２には、制御基板５、表示部２１、重量測定部２４等に電気を供給するためのコイン電池２７が内蔵される。
【００１９】
図４に示すように、制御部２５は、重量測定部２４、表示部２１、操作部２２、無線通信ユニット２６等と電気的に接続されている。制御部２５は例えば、操作部２２になされたユーザの操作に従って重量測定を開始し、重量測定部２４によって測定された重量データを、表示部２１に表示したり、あるいは、無線通信ユニット２６を用いて外部に送信したりする制御を行う。
【００２０】
本実施形態の魚重量計１を用いることによって、例えば、スマートフォンに、魚の重量データを送信することができる。そして、スマートフォンでは、所定のアプリを実行することによって、例えば、スマートフォン搭載のカメラによって撮影した魚の画像に、魚の重量を併せて表示させることが可能になる。さらに、魚重量計１を用いて魚をぶら下げて保持した状態で、前方から例えばスマートフォンによって魚を撮影することによって、マーカー４が一緒に映った魚の画像が得られる。この撮影画像から、例えば特許文献２に開示された方法によって、魚の寸法を計測することができる。これにより、きわめて簡易な方法によって、魚の画像に、魚の重量と寸法を併せて表示させることができる。
【００２１】
図５Ａは魚重量計１の使用形態の例を示す図であり、図５Ｂおよび図５Ｃはスマートフォン７の画面の一例である。また、図６はスマートフォン７のアプリの動作例である。ユーザは、スマートフォン７のアプリを起動する（Ｓ１１）。アプリを起動すると、スマートフォン７はカメラ表示になる。また、魚重量計１から送信される重量データを表示する（Ｓ１２）。この重量データは常に更新される。ユーザは、図５Ａに示したように、魚重量計１によって魚を保持した状態で、スマートフォン７によって魚の画像を撮影するために、シャッターを押す（Ｓ１３でＹｅｓ）。シャッターを押すと、魚の画像と、魚重量計１から送信された重量データが、スマートフォン７に取り込まれる（Ｓ１４）。ここで撮り直しをしてもよい（Ｓ１５）。
【００２２】
魚の画像に、保持部３の表面に付されたマーカー４が写っている場合は（Ｓ１６でＹｅｓ）、画像を一時保存するときは（Ｓ１７でＹｅｓ）、その画像を保存する（Ｓ２０）。画像を一時保存しないときは（Ｓ１７でＮｏ）、ユーザは、魚の寸法計測を行うための操作を行う（Ｓ１８）。例えば、画面に表示されたカーソルＡを魚の頭の先に合わせて、カーソルＢを魚の尾の先に合わせると、マーカー４の画像との比率から、魚の寸法が計算される。その後、ユーザは、画面に表示された、魚の画像、日時、寸法、重量の表示を必要に応じて編集し（Ｓ１９）、図５Ｂのような画像を得て、保存する（Ｓ２０）。
【００２３】
一方、保持部３の表面に付されたマーカー４が画像に写っていない場合は（Ｓ１６でＮｏ）、魚の画像に、重量と日付が表示される（Ｓ２１）。画像を一時保存するときは（Ｓ２２でＹｅｓ）、その画像を保存する（Ｓ２０）。画像を一時保存しないときは（Ｓ２２でＮｏ）、ユーザは、画面に表示された、魚の画像、日時、重量の表示を必要に応じて編集し（Ｓ２３）、図５Ｃのような画像を得て、保存する（Ｓ２０）。なお、ステップＳ１９，Ｓ２３の画像編集において、魚重量計１から重量データを再度取り込み、画像に表示される重量を修正してもよい。
【符号の説明】
【００２４】
１  魚重量計
２  把持部
３  保持部
４  マーカー
２１  表示部
２４  重量測定部
２６  無線通信ユニット
【図１】
0003203007.tif 000003
【図２】
0003203007.tif 000004
【図３】
0003203007.tif 000005
【図４】
0003203007.tif 000006
【図５Ａ】
0003203007.tif 000007
【図５Ｂ】
0003203007.tif 000008
【図５Ｃ】
0003203007.tif 000009
【図６】
0003203007.tif 000010